(57)【要約】      （修正有）【課題】清浄化された空気を常に排出し続けることができる空気清浄器を提供する。【解決手段】オゾンを用いて空気を清浄化する空気清浄器１において、オゾンを発生させる主オゾン管13と、主オゾン管13がオゾンを正常に発生させているか否かを判断する制御部51と、制御部51により主オゾン管13が劣化又は故障によりオゾンを正常に発生させていないと判断すると、主オゾン管13に代えてオゾンを発生させる予備用オゾン管12とを備えるようにしたことにより、劣化や故障により主オゾン管13がオゾンを正常に発生し得ない状態となっても、主オゾン管13に代わって予備用オゾン管12によりオゾンを発生させることができるので、常にオゾンを正常に発生させ続けることができ、かくして清浄化された空気を常に排出し続けることができる。【選択図】図１
0003116664.tif 000002
【実用新案登録請求の範囲】
【請求項１】
吸気口と排気口とを有するケース本体と、前記吸気口と排気口との間に設けた空気通路と、この空気通路の吸気口側に設けられた集塵機と、前記空気通路にオゾンを供給するオゾン発生手段と、前記空気通路の排気口側に設けられ前記オゾン発生手段により発生したオゾンを分解するオゾン分解触媒とを備えた空気清浄器において、前記オゾン発生手段は、前記オゾンを発生させる主オゾン発生手段と、該主オゾン発生手段が前記オゾンを正常に発生させているか否かを判断する判断手段と、該判断手段により前記主オゾン発生手段が劣化又は故障により前記オゾンを正常に発生させていないと判断すると、前記主オゾン発生手段に代えて前記オゾンを発生させる副オゾン発生手段とを備え、前記オゾン分解触媒と前記排気口との間に、オゾンを分解する紫外線を放射する紫外線ランプを設けたことを特徴とする空気清浄器。
【請求項２】
前記主オゾン発生手段及び副オゾン発生手段のうち、いずれが前記オゾンを発生させているかを通知する通知手段を備えることを特徴とする請求項１記載の空気清浄器。
【請求項３】
前記通知手段は、前記主オゾン発生手段及び副オゾン発生手段にそれぞれ割り当てられた発光手段を発光させることにより、前記主オゾン発生手段及び副オゾン発生手段のうち、いずれが前記オゾンを発生させているかを通知することを特徴とする請求項２記載の空気清浄器。
【請求項４】
前記主オゾン発生手段が前記オゾンを正常に発生させていないときに警告を発する警告手段を備えることを特徴とする請求項１〜３のいずれか１項記載の空気清浄器。
【請求項５】
前記主オゾン発生手段は、着脱交換可能な構成としたことを特徴とする請求項２〜４のいずれか１項記載の空気清浄器。
【請求項６】
前記紫外線ランプは、波長が２５０〜２５８ｎｍの紫外線を出射することを特徴とする請求項１〜５のいずれか１項に記載の空気清浄器。
【請求項７】
前記空気通路には、前記オゾン分解触媒と前記排気口との間に送風ファンを設け、前記ケース本体には、前記送風ファンと前記紫外線ランプとの間に邪魔板を設けたことを特徴とする請求項６記載の空気清浄器。
【考案の詳細な説明】
【技術分野】
【０００１】
この考案は空気清浄器に関し、例えば家屋や病院、老人ホームなどで用いられ、オゾンの作用によって空気を清浄化させる空気清浄器に適用して好適なものである。
【背景技術】
【０００２】
従来、人工的にオゾンを発生させ、オゾンの作用によって空気を脱臭・殺菌して清浄化する空気清浄器が知られている。このような空気清浄器は、吸気口と排気口とを有するケース本体にオゾン管（オゾン灯）と吸気ファンとを内蔵し、吸気ファンによって、吸気口から空気を吸引するとともに、オゾン管から照射される紫外線によって空気中の酸素を吸収しオゾンを生成させて、このオゾンの作用で空気を脱臭・殺菌し、これにより清浄化された空気を排気口から吹き出すように構成されている（例えば、特許文献１参照）。
【０００３】
また、本体の前面側に吸込口を、上面側に吹出口を夫々設け、前記本体内部を吸入孔を穿設した仕切板により前後に区画し、前部区画に、前面側から集塵フィルターと脱臭フィルターとを順次配設し、後部区画に、前記本体の背面内壁に支持されたファンモータと、同ファンモータにより駆動される前記吸入孔に臨んだ送風ファンを設け、前記本体内に、電源部と、同電源部から供給される高電圧により沿面放電を行いオゾンを発生させるオゾン発生器を設ける一方、前記集塵フィルターと前記脱臭フィルターとの間に、横状パイプと同横状パイプから分岐し上下方向に複数の放出孔を穿設した複数の縦状パイプとで構成され、前記オゾン発生器に前記横状パイプを連通させたオゾン拡散パイプを設け、前記脱臭フィルターが、活性炭あるいは二酸化マンガン等から生成されるオゾン分解触媒からなり、同オゾン分解触媒 が前記オゾン拡散パイプから放出されたオゾンを分解処理してなる空気清浄機がある（例えば特許文献２）。
【特許文献１】特開２００２−２２４２０６号公報（図１）
【特許文献２】特開２００４−５７２５３号公報
【考案の開示】
【考案が解決しようとする課題】
【０００４】
ところが、かかる構成の空気清浄器では、オゾン管がケース本体に内蔵され外部から目視できる状態にないことから、オゾン管が現在オゾンを正常に発生させているか否かを瞬時に確認し難いため、オゾン管が寿命末期や故障などにより既にオゾンを正常に発生し得ない状態にあっても気づかずに使用し続けてしまう場合があり、このため清浄化されていない空気を排出し続けてしまうこともあるという問題があった。
【０００５】
また、上記特許文献２の空気清浄機では、オゾンにより空気が消臭及び殺菌され、吐出口に向う空気に含まれるオゾンが、オゾン分解触媒により酸素に還元され、オゾンを含まないきれいな空気を吐出口から排気することができる。ところで、このように触媒を通過させてオゾンを分解するものであるから、触媒の経年劣化や処理風量の大小によりオゾンや雑菌が触媒を通過する虞がある。
【０００６】
そこで、本考案は以上の点を考慮してなされたもので、オゾンの排出を予防し、清浄化された空気を常に排出し続けることができる空気清浄器を提供することにある。
【課題を解決するための手段】
【０００７】
本考案の請求項１では、オゾンを用いて空気を清浄化する空気清浄器において、前記オゾンを発生させる主オゾン発生手段と、該主オゾン発生手段が前記オゾンを正常に発生させているか否かを判断する判断手段と、該判断手段により前記主オゾン発生手段が劣化又は故障により前記オゾンを正常に発生させていないと判断すると、前記主オゾン発生手段に代えて前記オゾンを発生させる副オゾン発生手段とを備えるものである。
【０００８】
本考案の請求項２では、前記主オゾン発生手段及び副オゾン発生手段のうち、いずれが前記オゾンを発生させているかを通知する通知手段を備えるものである。
【０００９】
本考案の請求項３では、前記通知手段は、前記主オゾン発生手段及び副オゾン発生手段にそれぞれ割り当てられた発光手段を発光させることにより、前記主オゾン発生手段及び副オゾン発生手段のうち、いずれが前記オゾンを発生させているかを通知するものである。
【００１０】
本考案の請求項４では、前記主オゾン発生手段が前記オゾンを正常に発生させていないときに警告を発する警告手段を備えるものである。
【００１１】
本考案の請求項５では、前記主オゾン発生手段は、着脱交換可能な構成としたものである。
【００１２】
本考案の請求項６では、前記紫外線ランプは、波長が２５０〜２５８ｎｍの紫外線を出射する物である。
【００１３】
本考案の請求項７では、前記空気通路には、前記オゾン分解触媒と前記排気口との間に送風ファンを設け、前記ケース本体には、前記送風ファンと前記紫外線ランプとの間に邪魔板を設けたものである。
【考案の効果】
【００１４】
本考案の請求項１によれば、劣化や故障により前記主オゾン発生手段がオゾンを正常に発生し得ない状態となっても、前記主オゾン発生手段に代わって副オゾン発生手段により前記オゾンを発生させることができるので、常にオゾンを正常に発生させ続けることができ、かくして清浄化された空気を常に排出し続けることができる。
【００１５】
このようにオゾンを常に正常に発生することができ、空気通路内を流れる空気に、オゾンを確実に供給して、消臭，殺菌することができ、空気中のオゾンは排気口側に設けたオゾン分解触媒により空気に還元され、仮に、オゾンの一部が残ったとしても、紫外線ランプの紫外線により残ったオゾンを分解することができる。また、同時にその紫外線により殺菌を行うことができる。
【００１６】
本考案の請求項２によれば、前記主オゾン発生手段又は副オゾン発生手段のいずれが前記オゾンを発生させているかをオペレータに対して認識させることができるので、前記主オゾン発生手段が劣化や故障により現在オゾンを正常に発生し得ない状態となっているか否かを容易に確認できる。
【００１７】
本考案の請求項３によれば、主オゾン発生手段又は副オゾン発生手段のいずれがオゾンを発生させているかを視覚を介して直感的に認識させることができるので、前記主オゾン発生手段が劣化や故障により現在オゾンを正常に発生し得ない状態となっているか否かを一段と容易に確認できる。
【００１８】
本考案の請求項４によれば、前記主オゾン発生手段が劣化や故障により既にオゾンを正常に発生し得ない状態となっていることを瞬時に認識させることができ、かくして前記主オゾン発生手段がオゾンを正常に発生し得ない状態のまま気づかずに使用し続けてしまうことを防止できる。
【００１９】
本考案の請求項５によれば、前記通知手段又は前記警告手段によって前記主オゾン発生手段が前記オゾンを正常に発生し得ない状態になっているとの通知又は警告に基づいて適切な時期に主オゾン発生手段を交換でき、かくして主オゾン発生手段がオゾンを正常に発生し得ない状態のまま気づかずに使用され続けてしまうことを未然に防止でき、かくして常にオゾンを正常に発生させ続けることができる。
【００２０】
本考案の請求項６によれば、波長が２５０〜２５８ｎｍの紫外線により、オゾン分解効果に加えて、高い殺菌効果が得られる。
【００２１】
本考案の請求項７によれば、邪魔板により送風ファンにおける紫外線ランプの紫外線による影響を軽減し、耐久性を確保することができる。
【考案を実施するための最良の形態】
【００２２】
以下、本考案における好ましい実施例について、添付図面を参照しながら説明する。
【実施例１】
【００２３】
図１及び図２において、１は全体として第１の実施の形態による空気清浄器を示し、この空気清浄器１は、全体として箱状に形成されたケース本体２を有し、当該ケース本体２の下面2Aに脱着式の設置部３を装着することにより、例えば床面（図示せず）にケース本体２を立てた状態で設置し得るようになされている。因みに、ケース本体２は、設置部３に代えて脱着式の取り付けブランケット（図示せず）を背面2Bに装着することにより壁に掛けた状態で設置し得るようにもなされている。
【００２４】
ここでケース本体２の正面2C下部には、長手方向に沿って吸気口４が形成され、この吸気口４からケース本体２内に空気を吸引し得る。因みに、ケース本体２には下面2Aにおいても長手方向に沿って吸気口５が形成されており、より多くの外気を吸引し得るようになされている。
【００２５】
また、ケース本体２の正面2C上部には、長手方向に沿って排気口６が形成され、ケース本体２内に吸引された空気を、この排気口６から排気し得るようになされている。
【００２６】
そして、排気口６と吸気口４及び５との間に位置するケース本体２の正面2C中央部には、開口部７が設けられており、この開口部７の周縁に形成された段差部８に板部９がスライド自在に嵌合され、板部９をスライドさせて開口部７を閉状態から開状態とすることにより、プレフィルタ10や高圧電気集塵ユニット11、予備用オゾン管12、主オゾン管13、オゾン分解触媒14などケース本体２に内蔵された各種部材を目視確認し得るようになされている。
【００２７】
また、ケース本体２の正面2C側部には、風量を設定するための運転ボタン15及び所定時間経過後に運転を停止させるための時間設定ボタン16からなる操作部17と、電源スイッチ18とが設けられ、これら各種ボタンによる設定結果などを運転状態表示部19に表示し得るようになされている。
【００２８】
因みに、この運転状態通知表示部19は、運転ボタン15により設定した風量の強弱を段階的に示す風量通知LED(Light Emitting Diode)20と、時間設定ボタン16により設定した所定時間の数字を示す時間通知LED21と、空気中にどの程度の塵埃が含まれているかを４段階で示す「よごれ度」通知LED22とにより構成されている。
【００２９】
かかる構成に加えて、ケース本体２正面2Cの開口部７側部には、電源が投入され主オゾン管13又は予備用オゾン管12に電力が供給されていることを示すための電源LDE25と、主オゾン管13が点灯していることを示すための主オゾン管点灯通知LED26と、予備用オゾン管12が点灯していることを示すための予備用オゾン管点灯通知LED27と、主オゾン管13が正常にオゾンを発生させていないときに警告を発して交換が必要な時期であることを示すための交換時期通知LED28とが順次縦方向に沿って配置された通知部29が設けられており、当該通知部29を介してケース本体２内の主オゾン管13及び予備用オゾン管12に関する各種情報を外部から確認し得るようになされている。
【００３０】
実際上、ケース本体２内では、ほぼ中央位置に主オゾン管13及び予備用オゾン管12が設けられているとともに、当該主オゾン管13及び予備用オゾン管12の上方に開口部31を有する第１の隔壁32が設けられ、この第１の隔壁32の開口部（以下、これを第１の隔壁開口部という）31をオゾン分解触媒14によって塞いだ構成を有する。
【００３１】
また、ケース本体２内では、主オゾン管13及び予備用オゾン管12の下方に開口部33を有する第２の隔壁34が設けられ、この第２の隔壁34の開口部（以下、これを第２の隔壁開口部という）33をプレフィルタ10によって塞ぐような構成を有する。
【００３２】
これによりケース本体２内では、下側区画室E1と、中央区画室E2と、上側区画室E3との３室の区画室を形成している。
【００３３】
そして、前記ケース本体２内には、前記吸気口４，５から、下側区画室E1、中央区画室E2、上側区画室E3を通って排気口６に至る空気通路101が形成されている。
【００３４】
ここでケース本体２の下側区画室E1と中央区画室E2とを区画するプレフィルタ10は、第２の隔壁34に着脱自在に設けられており、比較的大きな塵埃（約50μｍまでの塵埃）を集塵し得る。
【００３５】
そして、プレフィルタ10の上方の中央区画室内E2内には、集塵機たる高圧電気集塵ユニット11が支持部材35に着脱自在に設けられ、約50μｍから0.01μｍまでの塵埃を帯電フィルタ（図示せず）に吸着させて集塵し得る。そして、高圧電気集塵ユニット11は、空気通路101の吸気口４，５側に設けられている。
【００３６】
また、中央区画室E2において高圧電気集塵ユニット11の上方には、直管形の主オゾン管13と予備用オゾン管12とが、長手方向を互いにほぼ平行とさせ、かつ横向きの状態でソケット36に着脱自在に取り付けられている。
【００３７】
因みに、この実施の形態の場合、ケース本体２正面2Cに配置された主オゾン管点灯通知LED26とほぼ同じ高さ位置になるように主オゾン管13がケース本体２内に配置されていることにより、開口部７を開状態としたとき、主オゾン管点灯通知LED26と主オゾン管13とが対応していることを容易に認識し得るように構成され、また、ケース本体２正面2Cに配置された予備用オゾン管点灯通知LED27とほぼ同じ高さ位置になるように予備用オゾン管12がケース本体２内に配置されていることにより、開口部７を開状態としたとき、予備用オゾン管点灯通知LED27と予備用オゾン管12とが対応していることを容易に認識し得るように構成されている。
【００３８】
ここで主オゾン管13及び予備用オゾン管12は、透明なガラス管の両端に電極コイルが対向するようにして封止されており、この両電極コイルに通電することにより交流電圧が印加され、これにより紫外線を照射してケース本体２の中央区画室E2内で空気中の酸素を吸収してオゾンを生成し得る。
【００３９】
そして、第１の隔壁32に着脱自在に設けられ、ケース本体２の中央区画室E2と上側区画室E３とを区画するオゾン分解触媒14は、主オゾン管13又は予備用オゾン管12によって発生したオゾンを分解することにより、瞬時にオゾンを酸素に変換し、この酸素を上側区画室E3へ送り出す。そして、オゾン分解触媒14は、前記空気通路101の排気口５側に設けられている。
【００４０】
ケース本体２の上側区画室E3には、円柱形状に形成された本体37周面に多数の回転羽38を有した吸気ファン39が配置され、この送風ファンたる吸気ファン39が図示しないファンモータによって回転されることにより下方の吸気口４及び５から空気を吸引し、当該吸気した空気を、プレフィルタ10を通過させて主オゾン管13及び予備用オゾン管12が設けられた中央区画室内E2内に導いた後、オゾン分解触媒14を通過させてケース本体２の排気口６から排出し得る。
【００４１】
上側区画室E3においてオゾン分解触媒14の上方には、直管形の紫外線ランプ111が、横向きの状態でソケット112に着脱自在に取り付けられている。前記紫外線ランプ111は、前記オゾン分解触媒14と排気口６との間に位置し、オゾンを分解する紫外線を放射し、好ましくは、紫外線ランプ111は、波長が２５０〜２５８ｎｍ（ナノメートル）の紫外線を放射する。また、前記ケース本体２には、前記紫外線ランプ111と前記吸気ファン39との間に、該吸気ファン39への紫外線の直射を抑制する邪魔板113を設け、この邪魔板113により吸気ファン39に対する紫外線ランプ111の紫外線による影響を軽減している。
【００４２】
実際上、この空気清浄器１は、図３に示すように、当該空気清浄器１を統括的に制御するCPU(Central Processing Unit) 構成の制御部51を有する。
【００４３】
この制御部51は、商用交流電源に接続されているコンセント52から、電源コード53に接続されたプラグ54及び電源スイッチ18を介して、交流電流の供給を受けると共に、図示しない直流電源生成回路などにより、当該交流電流に基づいて、当該制御部51の各部に対する電源電圧として、直流電流を生成するようになされ、例えば電源LED25を点灯させ得る。
【００４４】
実際上、この制御部51は、交流電流に基づいてファンモータ55を駆動させるための駆動電流を生成し、操作部17からの操作信号S1に基づいて当該駆動電流をファンモータ55に供給することによりファンモータ55を駆動させて吸気ファン39を回転動作させる。
【００４５】
また、制御部51は、交流電流に基づいて高圧電気集塵ユニット11を動作させるための動作電流を生成し、これを高圧電気集塵ユニット11に供給することにより高圧電気集塵ユニット11を動作させて帯電フィルタを用いて塵埃を集塵させる。
【００４６】
さらに、制御部51は、通常モード時、交流電流に基づいてオゾン管点灯電流を生成し、これを主オゾン発生手段150に供給する。
【００４７】
また、制御部51は、通常モード時及び補助モード時、交流電流に基づいて紫外線ランプ点灯電流を生成し、この紫外線ランプ点灯電流に基づいて紫外線ランプインバータ回路部114により高周波交流電流を生成し、この高周波交流電流を紫外線ランプ111へ供給することによって紫外線ランプ111を点灯させ、これにより運転時において常に紫外線ランプ111から、オゾンを分解する紫外線が出射される。
【００４８】
主オゾン発生手段150は、主インバータ回路部56と主オゾン管13とで構成され、オゾン管点灯電流に基づいて主インバータ回路部56により高周波交流電流を生成し、この高周波交流電流を電流検出部57を介して主オゾン管13へ供給することによって主オゾン管13を点灯させ、これによりオゾンを正常に発生させ得る。
【００４９】
また、このとき制御部51は、主オゾン管点灯通知LED26に電源電圧としてLED点灯電流を供給することにより、当該主オゾン管点灯通知LED26を同時に点灯させる。
【００５０】
かかる構成に加えて、電流検出部57は、主インバータ回路部56と主オゾン管13との間において出力電流値を検出しており、当該検出した出力電流値を電流値信号S2として制御部51に供給している。
【００５１】
制御部51では、予め主オゾン管13が寿命末期となり常時点灯せずに点滅を繰り返す現象（ちらつき現象）が生じるときの電流値の変化を電流変動値として記憶しており、電流検出部57からの電流値信号S2の変動に基づいて出力電流値の変化が当該電流変動値と近似した変化を示すか否かを判断し、その結果、出力電流値の変化が電流変動値と近似した変化を示すと、主オゾン管13が寿命末期であると判断し切換０信号を生成する。
【００５２】
ここで主オゾン管13が寿命や故障などにより完全に不点灯となったときには、電流検出部57により検出される出力電流値が「０」となるが、この場合においても当該電流検出部57からの電流値信号S2により制御部51において切換信号が生成される。
【００５３】
そして、制御部51は、切換信号が生成されると、通常モードから補助モードへ移行し、切換信号に基づいて主インバータ回路部56へのオゾン管点灯電流の供給を停止するとともに、当該オゾン管点灯電流を予備用オゾン発生手段151へ供給する。
【００５４】
予備用オゾン発生手段151は、予備用インバータ回路部58と予備用オゾン管12とで構成され、オゾン管点灯電流に基づいて予備用インバータ回路部58により高周波交流電流を生成し、これを予備用オゾン管12に供給することによって予備用オゾン管12を点灯させ始め、これにより再びオゾンを正常に発生させ得る。
【００５５】
かくして、予備用オゾン発生手段151は、正常にオゾンを発生し得ない主オゾン発生手段150に代わってオゾンを正常に発生させ得るようになされている。
【００５６】
そして、前記主オゾン発生手段150と予備オゾン発生手段151と制御部51とにより、オゾン発生手段152を構成している。
【００５７】
これに応じて制御部51は、主オゾン管点灯通知LED26へのLED点灯電流の供給を停止するとともに、予備用オゾン管点灯通知LED27へ当該LED点灯電流を供給することにより、主オゾン管点灯通知LED26に代えて予備用オゾン管点灯通知LED27を点灯させ始める。
【００５８】
また、これと同時に、制御部51は、警告手段としての交換時期通知LED28にもLED点灯電流を供給することにより、予備用オゾン管点灯通知LED27とともに交換時期通知LED28を同時に点灯させ始める。
【００５９】
以上の構成において、オペレータが電源スイッチ18を押下すると、電源スイッチ18の接点が閉じられてコンセント52から制御部51に交流電流が供給される。
【００６０】
これにより交流電流に基づいて、ファンモータ55を駆動させることにより吸気ファン39を回転動作させるとともに、高圧電気集塵ユニット11を動作させ、これと同時に電源LED25を点灯させる。
【００６１】
また、このときオゾン管点灯電流が主インバータ回路部56へ供給される。
【００６２】
かくして、通常モード時、主インバータ回路部56によって生成された高周波交流電流によって主オゾン管13が常時点灯することによりケース本体２内にオゾンを正常に発生させる。
【００６３】
これにより、ケース本体２内に吸引した空気を清浄化させていくが、その清浄化過程において主オゾン管13が徐々に劣化していき、その結果、主オゾン管13が常時点灯しない寿命末期になり点滅現象が発生し、オゾンを正常に発生し得なくなり始めると、主インバータ回路部56と主オゾン管13との間に介挿された電流検出部57において高周波交流電流が変化する。
【００６４】
このように主オゾン管13が寿命末期になり点滅現象が生じ、オゾンを正常に発生し得なくなると、この現象は主インバータ回路部56と主オゾン管13との間に介挿された電流検出部57によって検出する出力電流値の変化として現れ、この出力電流値から主オゾン管13がオゾンを正常に発生し得なくなり始めたと判断すると、制御部51は切換信号を生成する。
【００６５】
また、清浄化過程において主オゾン管13が寿命又は故障などにより完全に点灯し得ない状態となり、オゾンを正常に発生し得なくなると、この現象は主インバータ回路部56と主オゾン管13との間に介挿された電流検出部57によって検出する出力電流値の変化として現れ、この出力電流値から主オゾン管13がオゾンを正常に発生し得なくなったと判断すると、制御部51は切換信号を生成する。
【００６６】
このようにして切換信号が生成されると、これに基づき通常モードから補助モードへ移行し、これにより、主オゾン管13に代えて予備用オゾン管12が点灯する。その結果、劣化より主オゾン管13が点滅し、或いは寿命や故障により主オゾン管13が不点灯となりオゾンを正常に発生し得なくなっていても予備用オゾン管12によってオゾンを発生させることができ、かくして主オゾン管13がオゾンを正常に発生し得なくなっていることに気づかずに使用し続けてしまっている場合であっても予備用オゾン管12によって常にオゾンを正常に発生し続けることができる。
【００６７】
また、これと同時に、主オゾン管点灯通知LED26を不点灯とし、これに代わって予備用オゾン管点灯通知LED27が点灯されるので、オペレータに対して視覚的に予備用オゾン管12が現在オゾンを発生させていることを瞬時に確認させることができるとともに、主オゾン管13が現在オゾンを正常に発生し得ない状態になっていることを瞬時に確認させることができる。
【００６８】
さらに、このときLED点灯電流が交換時期通知LED28に与えられることにより、交換時期通知LED28が点灯し、この交換時期通知LED28の点灯は、主オゾン管13が現在オゾンを正常に発生し得ない状態にあるので新しい主オゾン管13に交換して下さい、ということを意味しているので、オペレータは視覚を介して瞬時に主オゾン管13の交換時期を判断できる。
【００６９】
さらに加えて、オペレータがオゾンを正常に発生し得なくなった主オゾン管13を交換する際、ケース本体２正面2Cの板部９をスライドさせることにより開口部７を開口させると、ケース本体２正面2Cに配置された主オゾン管点灯通知LED26と同じ高さ位置で、ケース本体２内の主オゾン管13を目視確認でき、かくしてオペレータに対しケース本体２内において交換する必要がある主オゾン管13を瞬時に認識させることができる。
【００７０】
因みに、この実施の形態の場合、主オゾン管点灯通知LED26と、予備用オゾン管点灯通知LED27とを異なる発光色にすれば、主オゾン管点灯通知LED26から予備用オゾン管点灯通知LED27へ移行するときの発光色の変化により、オペレータに対して交換の必要度を瞬時に、かつ直感的に認識させることができる。
【００７１】
このように主オゾン管13と予備用オゾン管12とにより、常時オゾンを発生することができ、清浄化された空気を常に排出し続けることができる。ところで、オゾンはオゾン分解触媒14により酸素に還元されるが、そのオゾン分解触媒14が経年劣化を起し、交換前に触媒機能が低下するなどすると、オゾンがオゾン分解触媒14を通過する虞がある。これに対して、本空気清浄器１では、オゾンがオゾン分解触媒14を通過しても、そのオゾンを紫外線ランプ111の紫外線により分解するから、外部にオゾンが漏れることがなく、また、紫外線ランプ111の放射する紫外線により、殺菌効果が得られる。
【００７２】
以上の構成によれば、第１の実施の形態では、請求項１に対応して、吸気口４，５と排気口６とを有するケース本体２と、吸気口４，５と排気口６との間に設けた空気通路101と、この空気通路101の吸気口４，５側に設けられた集塵機たる高圧電気集塵ユニット11と、空気通路101にオゾンを供給するオゾン発生手段152と、空気通路101の排気口６側に設けられオゾン発生手段152により発生したオゾンを分解するオゾン分解触媒14とを備えた空気清浄器において、オゾン発生手段152は、オゾンを発生させる主オゾン管13を有する主オゾン発生手段150と、この主オゾン発生手段150がオゾンを正常に発生させているか否かを判断する制御部51と、当該制御部51により主オゾン発生手段150が劣化又は故障によりオゾンを正常に発生させていないと判断すると、主オゾン発生手段150に代えてオゾンを発生させる予備用オゾン管12を有する予備用オゾン発生手段151とを備え、オゾン分解触媒14と排気口６との間に、オゾンを分解する紫外線を放射する紫外線ランプ111を設けたことにより、劣化や故障により主オゾン管13がオゾンを正常に発生し得ない状態となっても、主オゾン管13に代わって予備用オゾン管12によりオゾンを発生させることができるので、常にオゾンを正常に発生させ続けることができ、かくして清浄化された空気を常に排出し続けることができる。
【００７３】
このようにオゾンを常に正常に発生することにより、空気通路101内を流れる空気に、オゾンを確実に供給して、消臭，殺菌することができ、空気中のオゾンは排気口６側に設けたオゾン分解触媒14により空気に還元され、仮に、オゾンの一部が残ったとしても、紫外線ランプ111の紫外線により残ったオゾンを分解することができる。また、同時にその紫外線により殺菌を行うことができる。
【００７４】
また、第１の実施の形態では、請求項２に対応して、主オゾン管13及び予備用オゾン管12のうち、いずれがオゾンを発生させているかを通知する主オゾン管点灯通知LED26及び予備用オゾン管点灯通知LED27を備えるようにしたことにより、主オゾン管13又は予備用オゾン管12のいずれがオゾンを発生させているかをオペレータに対して認識させることができるので、主オゾン管13が劣化や故障により現在オゾンを正常に発生し得ない状態となっているか否かを容易に確認できる。
【００７５】
さらに、第１の実施の形態では、請求項３に対応して、主オゾン管13及び予備用オゾン管12にそれぞれ割り当てられた主オゾン管点灯通知LED26及び予備用オゾン管点灯通知LED27を発光させることにより、主オゾン管13及び予備用オゾン管12のうち、いずれがオゾンを発生させているかを通知するようにしたことにより、主オゾン管13又は予備用オゾン管12のいずれがオゾンを発生させているかを視覚を介して直感的に認識させることができるので、主オゾン管13が劣化や故障により現在オゾンを正常に発生し得ない状態となっているか否かを一段と容易に確認できる。
【００７６】
さらに、第１の実施の形態では、請求項４に対応して、主オゾン管13がオゾンを正常に発生させていないときに警告を発する交換時期通知LED28を備えるようにしたことにより、主オゾン管13が劣化や故障により既にオゾンを正常に発生し得ない状態となっていることを瞬時に認識させることができ、かくして主オゾン管13がオゾンを正常に発生し得ない状態のまま気づかずに使用し続けてしまうことを防止できる。
【００７７】
さらに、第１の実施の形態では、請求項５に対応して、主オゾン管13は、着脱交換可能な構成としたことにより、主オゾン管点灯通知LED26及び予備用オゾン管点灯通知LED27、または交換時期通知LED28による通知又は警告に基づいて適切な時期に主オゾン管13を交換でき、かくして主オゾン管13がオゾンを正常に発生し得ない状態のまま気づかずに使用され続けてしまうことを未然に防止でき、かくして常にオゾンを正常に発生させ続けることができる。
【００７８】
さらに、第１の実施の形態では、請求項６に対応して、紫外線ランプ111は、波長が２５０〜２５８ｎｍの紫外線を出射するから、オゾン分解効果に加えて、高い殺菌効果が得られる。
【００７９】
さらに、第１の実施の形態では、請求項７に対応して、空気通路101には、オゾン分解触媒14と排気口６との間に送風ファンたる吸気ファン39を設け、ケース本体２には、吸気ファン39と紫外線ランプ111との間に邪魔板114を設けたから、邪魔板114により吸気ファン39における紫外線ランプ111の紫外線による影響を軽減し、耐久性を確保することができる。
【００８０】
なお、上述した第１の実施の形態のおいては、電流検出部57によって検出した出力電流値の変動に基づいて、主オゾン管13が寿命末期や寿命、故障などによりオゾンを正常に発生し得なくなったか否かを判断するようにした場合について述べたが、本考案はこれに限らず、例えば電圧検出部を配置し、この電圧検出部によって検出した電圧値の変動などに基づいて、主オゾン管13がオゾンを正常に発生し得なくなったか否かを判断するようにしたり、或いは紫外線検出部を配置し、この紫外線検出部によって検出した主オゾン管13がそれぞれ発する紫外線の量や、当該紫外線を発しているタイミング（すなわち、点滅状態）などに基づいて、主オゾン管13がオゾンを正常に発生し得なくなったか否かを判断するようにしても良い。
【００８１】
また、感熱スイッチを配置し、この感熱スイッチによって検出した主オゾン管13におけるフィラメントなどの発熱量の変化に基づいて、主オゾン管13がオゾンを正常に発生し得なくなったか否かを判断するようにしても良く、要は、主オゾン管13が寿命末期や故障などによりオゾンを正常に発生し得なくなったか否かを判断できればこの他種々の検出部を用いるようにしても良い。
【００８２】
また、上述した第１の実施の形態においては、主オゾン発生手段150における主オゾン管13において寿命末期や寿命、故障などによりオゾンを正常に発生し得なくなったか否かを判断するようにした場合について述べたが、本考案はこれに限らず、主オゾン発生手段150における主インバータ回路部56の劣化において寿命や故障などにより、主オゾン管13がオゾンを正常に発生し得なくなったか否かを判断するようにしても良く、この場合であっても上述した実施の形態と同様の効果を得ることができる。
【００８３】
この場合、例えば主インバータ回路部56が正常に動作するか否かを検出するインバータ検出部をそれぞれ設け、当該インバータ検出部によって、主インバータ回路部56が正常に動作し得ないことを検出すると、制御部51が切換信号を生成するようにすれば良く、これにより、主インバータ回路部56の劣化や故障によってオゾンを正常に発生し得ない状態となっても、主インバータ回路部56に代わって予備用インバータ回路部58に基づいてオゾンを発生させることができるので、常にオゾンを正常に発生させ続けることができ、かくして清浄化された空気を常に排出し続けることができる。
【００８４】
さらに、上述した第１の実施の形態においては、主オゾン管点灯通知LED26や予備用オゾン管点灯通知LED27をそれぞれ点灯させることにより、オペレータに対し視覚を介して現在オゾンを正常に発生させているオゾン管を通知するようにした場合について述べたが、本考案はこれに限らず、例えば液晶ディスプレイを設け、当該液晶ディスプレイに表示される文字情報や絵柄などにより現在オゾンを正常に発生させているオゾン管を通知するようにしたり、或いは、スピーカを設け、当該スピーカから出力される音声案内により聴覚を介して現在オゾンを正常に発生させているオゾン管を通知するようにしたりしても良い。
【００８５】
さらに、上述した第１の実施の形態においては、交換時期通知LED28を点灯させることにより主オゾン管13の交換時期を通知するようにした場合について述べたが、本考案はこれに限らず、交換時期の通知方法に応じてスピーカや液晶ディスプレイなどこの他種々の警告手段を広く適用することができる。
【００８６】
さらに、上述した第１の実施の形態においては、オゾン管から紫外線を照射してオゾンを発生させる紫外線ランプ法を用いたオゾン発生手段を適用するようにした場合について述べたが、本考案はこれに限らず、放電の原理に基づいてオゾンを発生させる無声放電法や沿面放電法のような放電法を用いたオゾン発生手段や、或いは水中に電解質膜を挟んで、一対の電極をおいて、両極間に直流電圧をかけて水の電気分解を起こさせて、その際酸素発生側に酸素と同時にオゾンを発生させる電解法を用いたオゾン発生手段などこの他種々のオゾン発生手段を用いるようにしても良い。
【図面の簡単な説明】
【００８７】
【図１】一部を切り欠いた第１の実施の形態による空気清浄器の正面図を示す略線図である。
【図２】第１の実施の形態による空気清浄器の側断面構成を示す略線的断面図である。
【図３】第１の実施の形態による空気清浄器の回路構成を示すブロック図である。
【符号の説明】
【００８８】
１  空気清浄器
２  ケース本体
３  設置部
４  吸気口
５  吸気口
６  排気口
11  高圧電気集塵ユニット（集塵機）
12  予備用オゾン管
13  主オゾン管
14  オゾン分解触媒
26  主オゾン管点灯通知LED（通知手段）
27  予備用オゾン管点灯通知LED（通知手段）
28  交換時期通知LED（警告手段）
39  吸気ファン（送風ファン）
51  制御部（判断手段）
101  空気通路
111  紫外線ランプ
112  ソケット
114  邪魔板
150  主オゾン発生手段
151  予備用オゾン発生手段（副オゾン発生手段）
152  オゾン発生手段
【図１】
0003116664.tif 000003
【図２】
0003116664.tif 000004
【図３】
0003116664.tif 000005